(57)【要約】【課題】被養生面にのり、傷等何らの跡も残すことなくきれいに剥がして取り外しすることができる養生資材の押さえテープを提供すること。【解決手段】テープ基材１の表裏いずれか一方の全面が、粘着力の強い強粘着面２と、床面等の被養生面にのりを残すことなく、しかも下地に何らの跡も残すことなくきれいに剥がすことができる粘着力を有する再剥離型の弱粘着面３との二つの粘着面に形成され、かつ両粘着面２、３は色分け等によって識別が可能となっており、更に強粘着面２の粘着幅ｗは弱粘着面３の粘着幅よりも狭く形成され、強粘着面２が養生シート等の養生資材の周縁部と相対し、弱粘着面３が被養生面に相対して粘着され、養生資材を一時的に押え置くために使用される。【選択図】　　　　図１
2004026960.tif 000002
【特許請求の範囲】
【請求項１】
床面等の被養生面（３０）を覆った養生シート等の養生資材（２０）を定置させるため、該養生資材（２０）を一時的に押え置くためのテープであって、
テープ基材（１）の表裏いずれか一方の全面が、粘着力の強い強粘着面（２）と、前記被養生面（３０）にのりを残すことなく、しかも下地に何らの跡も残すことなくきれいに剥がすことができる粘着力を有する再剥離型の弱粘着面（３）との二つの粘着面に形成されている構成を特徴とする養生資材の押えテープ。
【請求項２】
前記強粘着面（２）と前記弱粘着面（３）の何れか一方、又は双方に両粘着面（２）、（３）の識別ができるように色分け等の識別手段が施されていることを特徴とする請求項１の養生資材の押えテープ。
【請求項３】
前記強粘着面（２）の粘着幅（ｗ）が、テープ全体幅（Ｗ）の約１／３〜１／５の割合での粘着幅であること特徴とする請求項１の養生資材の押えテープ。
【発明の詳細な説明】
【０００１】
【発明の属する技術分野】
本発明は、家屋の新築、改修等の工事中、或いは工事完成から入居するまでの間、更には引越し養生等において、床面や壁面等の被養生面を一時的に養生保護するため、これら被養生面を覆った養生シート等の養生資材が捲くれ上がったり、又動かないようにするために用いられる養生資材の押えテープに関するものである。
【０００２】
【従来の技術】
従来、床面や壁面等の被養生面の養生保護は、養生シート等の養生資材の周縁部を強粘着面の粘着テープで粘着して押さえているのが一般的であった。
【０００３】
【発明が解決しようとする課題】
このように、従来における粘着テープは、その粘着面を養生シート等の養生資材と床面等の被養生面とに同時に粘着させなければならないため、相当の粘着強度を持った強粘着面とされている。
【０００４】
そこで、養生シート等の養生資材を取り外す際には、床面等の被養生面から粘着テープを剥がすことになるが、粘着力が強いために、容易ではなくて作業性が悪いばかりか、粘着テープを剥がす際に被養生面にのりが残ったり、下地を剥がしてしまったり、又、被養生面に色やテープの跡を残してしまったりする等の問題点があった。
【０００５】
本発明は、このような問題点に鑑みなされたもので、その目的とするところは、被養生面からの養生資材の取り外しは、被養生面から粘着テープにおける弱粘着面を剥がすことで、簡易にして、かつ速やかに剥がすことができて、作業性の向上に寄与し得るとともに、被養生面にのり、傷等何らの跡も残すことなくきれいに剥がして取り外しすることができる養生資材の押さえテープを提供することにある。
【０００６】
【課題を解決するための手段】
この目的のため、請求項１に係る発明は、床面等の被養生面３０を覆った養生シート等の養生資材２０を定置させるため、該養生資材２０を一時的に押え置くためのテープであって、テープ基材１の表裏いずれか一方の全面が、粘着力の強い強粘着面２と、前記被養生面３０にのりを残すことなく、しかも下地に何らの跡も残すことなくきれいに剥がすことができる粘着力を有する再剥離型の弱粘着面３との二つの粘着面に形成されている構成を特徴とするものである。
【０００７】
請求項２に係る発明は、前記強粘着面２と前記弱粘着面３の何れか一方、又は双方に両粘着面の識別ができるように色分け等の識別手段が施されていることを特徴とするものである。
【０００８】
請求項３に係る発明は、前記強粘着面２の粘着幅ｗが、テープ全体幅Ｗの約１／３〜１／５の割合での粘着幅であること特徴とするものである。
【０００９】
【発明の実施の形態】
本発明の実施の形態について図面を参照し、その作用と共に説明する。
【００１０】
本発明に係る養生資材の押えテープは、床面等の被養生面を覆った養生シート等の養生資材を定置させるため、該養生資材を一時的に押え置くためのテープであって、図１は本発明に係る養生資材の押さえテープの一例での一部省略の平面図、図２は拡大縦断面図、図３は使用態様の一例を示す概略平面図で、これら図において、本養生資材の押えテープ１０は、テープ基材と粘着強度の異なる強弱二面の粘着面、粘着面上の剥離紙とを含んでいる。
【００１１】
【実施例】
以下に具体的実施例について説明する。
【００１２】
テープ基材１は、適宜の幅と厚さを有する長尺の帯状体であって、クラフト紙、合成紙、ミラーコート紙、不織布、ポリプロピレン、ポリエチレン、ポリエステル、塩化ビニール等の柔軟性、屈撓性に富んだ基材から成る。
【００１３】
テープ基材１の表裏いずれか一方の全面には、強粘着面２と弱粘着面３の粘着強度の異なる二つの粘着面がアンカーコーティング手段（プライマー加工）、又はコロナ放電処理手段による塗着乾燥加工により形成されている。
【００１４】
強粘着面２は、凝集力が小さく、瞬間接着力が大きいアクリル系、ゴム系等の粘着剤であって、粘着したら剥がれない粘着剤による粘着面で、この強粘着面２は、養生シート等の養生資材２０に相対する粘着面である。
【００１５】
弱粘着面３は、凝集力が大きく、瞬間接着力が小さいゴム系ののりであって、床面や壁面等の被養生面３０にのりを残すことなく、しかも下地に何らの跡も残すことなくきれいに剥がすことができる粘着剤による再剥離型の粘着面で、この弱粘着面３は、被養生面３０に相対する粘着面である。
【００１６】
そして、強粘着面２の粘着幅ｗは、テープ全体幅Ｗの約１／３〜１／５の割合での粘着幅をもって形成されている。
【００１７】
これは、強粘着面２が被養生面３０に着かないようにするためであって、弱粘着面３の粘着幅を広くすることにより、養生資材２０に対する強粘着面２の粘着に余裕を持たせたものである。
【００１８】
又、強粘着面２と弱粘着面３の何れか一方、又は双方には、両粘着面２、３の識別ができるように色分け等の識別手段が施されている。
【００１９】
この識別手段は、例えば、粘着剤やテープ基材１に着色を施すことによりなされる。
【００２０】
本押えテープ１０は、特に図示しないが、ロール状に巻かれたテープ基材１が回転ローラーを介して移送されて、先ず、弱粘着剤槽内において回転しているローラーによりテープ基材１の全面に弱粘着剤が塗着され、次いで、乾燥手段を介して乾燥されて弱粘着面３が形成される。
【００２１】
次いで、弱粘着面３の形成されたテープ基材は、着色が施された強粘着剤槽内において回転しているローラーにより、全弱粘着面３（テープ全体幅Ｗ）の約１／３〜１／５の幅ｗ部分のみに着色の施された強粘着剤が塗着され、次いで、乾燥手段を介して乾燥されて強粘着面２が形成され、次いで、全粘着面２、３に剥離紙４が粘着されてこれがロール状に巻き取られて製品とされる。
このようにして、本押えテープ１０は、公知の方法により作られる。
【００２２】
このように構成された本押えテープ１０は、図３に例示されているように、剥離紙４を剥がして、床面等の被養生面３０上に覆われた養生シート等の養生資材２０の周縁部に強粘着面２を相対し、弱粘着面３を被養生面３０に相対して粘着させて使用される。
【００２３】
【発明の効果】
しかして、請求項１の発明によれば、被養生面３０からの養生資材２０の取り外しは、被養生面３０から粘着テープにおける弱粘着面３を剥がすことで、簡易にして、かつ速やかに剥がすことができて、作業性の向上に寄与し得るとともに、被養生面３０にのり、傷、色、テープ跡等何らの跡も残すことなくきれいに剥がして取り外しすることができる。
【００２４】
請求項２の発明によれば、強粘着面２と弱粘着面３が色分け等の手段により識別可能となっているから、強粘着面２を被養生面３０に粘着させるという間違えがなくなり、かつ作業性が向上する。
【００２５】
請求項３の発明によれば、強粘着面幅に比して弱粘着面幅が広くなっているから、養生資材２０に対する強粘着面２の粘着に余裕があり、弱粘着面３のみを被養生面３０に確実に粘着させることができる。
【図面の簡単な説明】
【図１】本発明に係る養生資材の押えテープの一例での一部省略の平面図である。
【図２】拡大縦断面図である。
【図３】使用態様の一例を示す概略平面図である。
【符号の説明】
１　　テープ基材
２　　強粘着面
３　　弱粘着面
１０　　本押えテープ
２０　　養生資材
３０　　被養生面
Ｗ　　テープ全体の幅
ｗ　　強粘着面の幅
【図１】
2004026960.tif 000003
【図２】
2004026960.tif 000004
【図３】
2004026960.tif 000005